(57)【特許請求の範囲】
【請求項１】
記録紙が収納されるプリンタ本体と、このプリンタ本体の一端部近傍に回動可能に装着された蓋体とからなり、この蓋体と前記プリンタ本体との連結部には、一端が前記プリンタ本体に回動自在に連結され、かつ、他端が前記蓋体に回動自在に連結されたリンク片が設けられ、前記蓋体を、前記プリンタ本体を閉塞する位置に位置させた状態において、前記リンク片の、前記蓋体との連結部が、前記プリンタ本体との連結部よりも、前記プリンタ本体の底部側へ位置させられるようになされ、
前記プリンタ本体には、前記記録紙へ印字を行う印字ヘッドが設けられ、前記蓋体には、前記記録紙を前記印字ヘッドとの間で挟持するプラテンローラが設けられ、かつ、前記印字ヘッドには、この印字ヘッドを前記プラテンローラへ向けて弾性的に押圧する付勢部材が装着されており、前記蓋体が前記プリンタ本体を閉塞する位置に位置させられた状態において、前記付勢部材により、前記プラテンローラを介して押圧されることにより、前記リンク片の、前記蓋体との連結部が前記プリンタ本体の底部側へ向けて押圧係止されるようになされていることを特徴とするプリンタ。
【発明の詳細な説明】
【０００１】
【発明の属する技術分野】
本発明は、プリンタに係わり、特に、携帯型のサーマルプリンタに関するものである。
【０００２】
【従来の技術】
従来、たとえば、携帯型のサーマルプリンタとして、ロール状に巻回された記録紙が収納されるとともに、この記録紙に印字を行うサーマルヘッドが設けられたプリンタ本体と、このプリンタ本体に回動可能に装着され、このプリンタ本体の開閉をなす蓋体とを備え、この蓋体に、この蓋体を閉塞位置に位置させた状態において、前記記録紙を、前記サーマルヘッドととの間で挟み込むとともに、前記記録紙の搬送を行うプラテンローラが設けられた構成のものが知られている。
そして、前記蓋体は、前記プリンタ本体に設けられた係止機構によって閉塞位置に係止されるようになされ、また、この係止機構を操作して、前記蓋体の係止を解除することによって、前記蓋体の開放を許容するようになっている。
【０００３】
【発明が解決しようとする課題】
ところで、このような従来のサーマルプリンタにあっては、つぎのような改善すべき問題点が残されている。
すなわち、たとえば、前記記録紙を交換する等の目的で、前記蓋体を開放する場合、プリンタ本体を保持した状態で係止機構を操作して蓋体の係止を解除し、しかる後に、前記蓋体を回動させるといった操作を行わなければならないから、前記蓋体の開閉操作に両手を使う必要があり、このために、携帯状態で蓋体を開閉操作することが困難であるといった問題点である。
したがって、従来では、プリンタを、一旦、机等に置き、前述した開閉操作を行うようにしている。
しかしながら、作業現場においては、プリンタを載置する場所がない場合も多くあり、その際には、使用者の膝を利用して前述した操作を行わなければならないが、その度毎に、使用者は屈まなければならず、作業が繁雑である。
【０００４】
また、係止機構を設けることにより、プリンタの構成が煩雑化し、コストが高騰するといった問題点もある。
【０００５】
本発明は、このような従来の問題点に鑑みてなされたもので、簡便な操作で蓋体の開閉を行い、かつ、簡便な構成によって前述した機能を得ることのできるプリンタを提供することを目的とする。
【０００６】
本発明の請求項１に記載のプリンタは、前述した目的を達成するために、記録紙が収納されるプリンタ本体と、このプリンタ本体の一端部近傍に回動可能に装着された蓋体とからなり、この蓋体と前記プリンタ本体との連結部には、一端が前記プリンタ本体に回動自在に連結され、かつ、他端が前記蓋体に回動自在に連結されたリンク片が設けられ、前記蓋体を、前記プリンタ本体を閉塞する位置に位置させた状態において、前記リンク片の、前記蓋体との連結部が、前記プリンタ本体との連結部よりも、前記プリンタ本体の底部側へ位置させられるようになされ、前記プリンタ本体には、前記記録紙へ印字を行う印字ヘッドが設けられ、前記蓋体には、前記記録紙を前記印字ヘッドとの間で挟持するプラテンローラが設けられ、かつ、前記印字ヘッドには、この印字ヘッドを前記プラテンローラへ向けて弾性的に押圧する付勢部材が装着されており、前記蓋体が前記プリンタ本体を閉塞する位置に位置させられた状態において、前記付勢部材により、前記プラテンローラを介して押圧されることにより、前記リンク片の、前記蓋体との連結部が前記プリンタ本体の底部側へ向けて押圧係止されるようになされていることを特徴とするプリンタ
【０００７】
【発明の実施の形態】
以下、本発明の一実施形態について図面を参照して説明する。
図１中、符号１は、本実施形態に係わるプリンタを示し、ロール状に巻回された台紙２に多数のラベル３を等間隔に仮着して形成された記録紙４が収納されるプリンタ本体５と、このプリンタ本体５の一端部に回動可能に装着され、このプリンタ本体５の開閉をなす蓋体６とを備えている。
【０００８】
さらに詳述すれば、前記プリンタ本体５の、前記蓋体６が取り付けられた側と反対側には、印字ヘッド７が装着されているとともに、この印字ヘッド７と前記プリンタ本体５との間には、この印字ヘッド７を、前記プリンタ本体５と蓋体６との合わせ面Ｆに沿って、前記プリンタ本体５と蓋体６との連結部へ向けて弾性的に押圧する付勢部材８が介装されている。
【０００９】
前記蓋体６には、この蓋体６が前記プリンタ本体５を閉塞する位置に位置させられた状態において、前記印字ヘッド７が、前記付勢部材８の弾性によって押圧されるとともに、前記印字ヘッド７との間で、前記記録紙４を挟持するプラテンローラ９が設けられ、また、このプラテンローラ９を回転駆動することにより、前記記録紙４の送りを行うモータ１０と、このモータ１０の回転を前記プラテンローラ９へ伝達するギア群１１とが設けられている。
【００１０】
そして、本実施形態においては、前記プリンタ本体５の、前記蓋体６との連結部には、プリンタ本体５の底部へ向かう凹部５ａが形成されており、この凹部５ａの側壁と、前記蓋体６との間に、これらのプリンタ本体５と蓋体６とを連結するリンク片１２が設けられている。
【００１１】
このリンク片１２の一端部には、前記プリンタ本体５との連結をなす第１枢軸１３が取り付けられているとともに、他端部には、前記蓋体６との連結をなす第２枢軸１４が取り付けられている。
【００１２】
そして、前記第２枢軸１４は、前記蓋体６を、プリンタ本体５を閉塞する位置に位置させた状態において、前記第１枢軸１３よりもプリンタ本体５の底部側へ位置するようになされている。
【００１３】
さらに、本実施形態においては、前記蓋体６の、前記プラテンローラ９が装着された近傍には、印字処理が行われたラベル３の発行形態を変更する発行切換部材１５が設けられている。
【００１４】
この発行切換部材１５は、前記蓋体６に、前記印字ヘッド７の印字面とほぼ直交する方向に沿って摺動可能に設けられ、その摺動方向の略中間部に、ラベル挿通孔１５ａが形成された構成となっている。
そして、図１に示すように、前記発行切換部材１５を、プラテンローラ９から離間する方向に摺動させた際に、前記記録紙４の通過を許容するようになされ、また、図２に示すように、前記発行切換部材１５をプラテンローラ９側へ摺動させた状態において、その端部によって前記記録紙４の台紙２を、前記プラテンローラ９に所定角度巻き付けるように屈曲させるとともに、前記ラベル挿通孔１５ａを、前記印字ヘッド７とプラテンローラ９との当接部に対向させるようになされている。
【００１５】
したがって、図１に示す状態においては、印字されたラベル３は、台紙２とともに排出され、また、図２に示す状態においては、印字後において、前記台紙２が、前記発行切換部材１５によって強制的に湾曲させられることによって前記ラベル３が剥離され、この剥離されたラベル３が、前記発行切換部材１５のラベル挿通孔１５ａから排出されるようになっている。
【００１６】
また、図１および図２において符号１６は、前記プリンタ１を使用者のベルト等に固定するためのクリップを示す。
【００１７】
ついで、このように構成された本実施形態に係わるプリンタ１の作用について説明する。
【００１８】
まず、図１において、記録紙４を収納した使用状態を示すが、この使用状態において、蓋体６はプリンタ本体５を閉塞する位置に位置させられている。
この状態において、前記蓋体６は、前記プリンタ本体５に対して合わせ面Ｆにおいて面接触させられており、かつ、前記リンク片１２に取り付けられている第２枢軸１４が、第１枢軸１３よりも、前記プリンタ本体５の底部側へ位置させられている。
さらに、前記付勢部材８の付勢力によって、前記蓋体６が、全体としてプリンタ本体５の連結部へ向けて付勢されていることから、この付勢力により、前記連結片１２に、図１に矢印で示すように、前記第２枢軸１４が設けられた側の端部が、プリンタ本体５の底部へ向かうようなモーメントが与えられる。
【００１９】
したがって、蓋体６が全体としてプリンタ本体５へ押し付けられるように付勢されることとなり、この結果、前記蓋体６が閉塞位置に保持される。
【００２０】
つぎに、蓋体６を開放する際の手順について図３以降を参照して説明する。
まず、図３に示すように、前記蓋体６の、前記プリンタ本体５との連結部を、前記プリンタ本体５から離間させるようにして持ち上げる。
このとき、蓋体６は、前記付勢部材８の弾性に抗して、若干前記印字ヘッド７側へ移動可能であることから、前記リンク片１２が、第１枢軸１３を中心として、図３における反時計回りに回動させられ、この結果、前記第２枢軸１４がプリンタ本体５の外側へ位置させられて、前記蓋体６の、前記プリンタ本体５との連結部が、このプリンタ本体５から離間させられる。
【００２１】
ついで、図４に示すように、前記蓋体６を、前記印字ヘッド７から離間する方向に移動させることにより、前記プラテンローラ９と印字ヘッド７との係合を解除する。
【００２２】
これよりさらに、図５に示すように、前記蓋体６を、前記第２枢軸１４を中心にして、反時計回りに回動させることにより、蓋体６をプリンタ本体５から大きく離間させて、このプリンタ本体５を大きく開放させる。
この状態において、収納している記録紙４の交換作業が可能となる。
そして、前記蓋体６を閉じる場合には、前述した手順と逆の手順を行えばよい。
【００２３】
このように、本実施形態に係わるプリンタ１にあっては、蓋体６をプリンタ本体５から引き離すような操作と、その逆の操作によって、前記蓋体６の開閉を行うことができる。
したがって、極めて簡便な操作により蓋体６の開閉操作を行うことができる。
しかも、蓋体６とプリンタ本体５とをリンク片１２と、一対の枢軸１３・１４によって連結するといった簡素な構成によって前記機能を得ることができ、プリンタ１のコストの高騰を抑制することができる。
【００２４】
なお、前記実施形態において示した各構成部材の諸形状や寸法等は一例であって、設計要求等に基づき種々変更可能である。
たとえば、前記実施形態においては、蓋体６を閉位置に保持するために、印字ヘッド７を押圧する付勢部材８の付勢力を用いた例について示したが、これに代えて、蓋体６の係止のために、別途付勢部材を設けるようにしてもよく、あるいは、プリンタ本体５や蓋体６を低弾性材料によって形成して、その弾性を利用することも可能である。
【００２５】
【発明の効果】
以上説明したように、本発明に係わるプリンタによれば、前記構成としたことにより、蓋体をプリンタ本体から引き離すような操作とその逆の操作によって、前記蓋体の開閉を行うことができる。
したがって、極めて簡便な操作により蓋体の開閉操作を行うことができるとともに、プリンタを携帯した状態での開閉操作を可能にする。
しかも、蓋体とプリンタ本体とをリンク片と、一対の枢軸によって連結するといった簡素な構成によって前記機能を得ることができ、プリンタのコストの高騰を抑制することができる。
【図面の簡単な説明】
【図１】本発明の一実施形態を示す側面図である。
【図２】本発明の一実施形態を示す側面図である。
【図３】本発明の一実施形態の作用を説明するための側面図である。
【図４】本発明の一実施形態の作用を説明するための側面図である。
【図５】本発明の一実施形態の作用を説明するための側面図である。
【符号の説明】
１  プリンタ
２  台紙
３  ラベル
４  記録紙
５  プリンタ本体
５ａ  凹部
６  蓋体
７  印字ヘッド
８  付勢部材
９  プラテンローラ
１０  モータ
１１  ギア群
１２  リンク片
１３  第１枢軸
１４  第２枢軸
１５  発行切換部材
１５ａ  ラベル挿通孔
１６  クリップ
Ｆ  合わせ面
【図１】
0004521944.tif 000002
【図２】
0004521944.tif 000003
【図３】
0004521944.tif 000004
【図４】
0004521944.tif 000005
【図５】
0004521944.tif 000006